(57)【要約】　　　（修正有）【課題】汎用の携帯電話機を利用して、自己の情報や行き先情報を元に地図ソフトを簡易かつ定額料金で利用できる装置の提供。【解決手段】汎用の携帯電話機（ＧＰＳ「全地球測位システム」を活用した）１と情報解析機（使用者の自己情報等を登録した記憶媒体「チップ等」が目的により解析できる）２と第三者が所持する汎用のパソコン電話（パスワード・ＩＤ番号等による通信手段）３・ＩＰ電話・携帯電話機接続モデム内蔵カーナビケーション・携帯用情報端末機５・携帯電話機・ＰＨＳ６等を使用して、ＧＰＳにより自己の位置情報等が取得でき、前記位置情報等を携帯電話機を通じて相互通信することにより、目的が一致すると液晶表示画面上で情報等確認でき、電子地図表示装置上の地図ソフト上により目的地までの道案内地図と音声による道案内等を基に使用者を送迎でき、液晶表示画面上で情報等確認できるリアルダイレクトレコーダー。【選択図】図１
2004023779.tif 000002
【特許請求の範囲】
【請求項１】
汎用の携帯電話機（ＧＰＳ「全地球測位システム」を活用した）と情報解析機（使用者の自己情報等を登録した記憶媒体「チップ等」が目的により解析できる）を使用して、ＧＰＳ（全地球測位システム）により自己の位置情報等が取得でき、前記位置情報等を携帯電話機を通じて第三者が所持する汎用のパソコン電話（パスワード・ＩＤ番号等による通信手段）・ＩＰ電話（電話番号・ＩＰアドレス等による通信手段）・携帯電話機接続モデム内蔵カーナビゲーション・携帯用情報端末機（ＰＤＡ等）・携帯電話機・ＰＨＳ等の液晶表示画面上で位置情報等を受信し、地図ソフトを活用した電子地図表示装置上に表示できるリアルダイレクトレコーダーである。
【請求項２】
汎用の携帯電話機（ＧＰＳ「全地球測位システム」を活用した）の商用機能（Ｉモード等）を利用して、前記取得の情報等を携帯電話機を通じて第三者が所持する汎用のパソコン電話（パスワード・ＩＤ番号等による通信手段）・ＩＰ電話（電話番号・ＩＰアドレス等による通信手段）・携帯電話機接続モデム内蔵カーナビゲーション・携帯用情報端末機（ＰＤＡ等）・携帯電話機・ＰＨＳ等と情報解析機（使用者の自己情報等を登録した記憶媒体「チップ等」が目的により解析できる）を接続して、使用者の自己情報等を液晶表示画面上で受信し、表示できる請求項１に記載のリアルダイレクトレコーダーである。
【請求項３】
汎用の携帯電話機（ＧＰＳ「全地球測位システム」を活用した）の商用機能（Ｉモード等）を利用して、使用者のリアルタイムスケジュールを作成し登録して、情報解析機（使用者の自己情報等を登録した記憶媒体「チップ等」が目的により解析できる）と携帯電話機を通じて第三者が所持する汎用のパソコン電話（パスワード・ＩＤ番号等による通信手段）・ＩＰ電話（電話番号・ＩＰアドレス等による通信手段）・携帯電話機接続モデム内蔵カーナビゲーション・携帯用情報端末機（ＰＤＡ等）・携帯電話機・ＰＨＳ等と相互通信することにより、相互の情報目的が一致して、液晶表示画面上で情報等確認できる請求項２に記載のリアルダイレクトレコーダーである。
【請求項４】
汎用の携帯電話機（ＧＰＳ「全地球測位システ」を活用した）に使用者の自己情報等を登録して、情報解析機（使用者の自己情報等を登録した記憶媒体「チップ等」が目的により解析できる）と接続して、第三者が所持する汎用のパソコン電話（パスワード・ＩＤ番号等による通信手段）・ＩＰ電話（電話番号・ＩＰアドレス等による通信手段）・携帯電話機接続モデム内蔵カーナビゲーション・携帯用情報端末機（ＰＤＡ等）・携帯電話機・ＰＨＳ等と相互通信することにより、相互の情報目的が一致して、液晶表示画面上で情報等確認できる請求項１、請求項２に記載のリアルダイレクトレコーダーである。
【請求項５】
汎用の携帯電話機（ＧＰＳ「全地球測位システム」を活用した）に使用者の自己情報等（住所・氏名・電話番号等）や行き先情報等（住所・氏名・電話番号等）を登録して、情報解析機（使用者の自己情報等を登録した記憶媒体「チップ等」が目的により解析できる）と接続して、第三者が所持する汎用のパソコン電話（パスワード・ＩＤ番号等による通信手段）・ＩＰ電話（電話番号・ＩＰアドレス等による通信手段）・携帯電話機接続モデム内蔵カーナビゲーション・携帯用情報端末機（ＰＤＡ等）・携帯電話機・ＰＨＳ等に相互通信することにより、相互の情報目的が一致すると液晶表示画面上で情報等確認でき、地図ソフト上により目的地までの道案内地図と音声による道案内等を基に使用者を送迎できる請求項１請求項２に記載のリアルダイレクトレコーダーである。
【請求項６】
汎用のパソコン電話（パスワード・ＩＤ番号等による通信手段）・ＩＰ電話（電話番号　ＩＰアドレス等による通信手段）・携帯電話機接続モデム内蔵カーナビゲーション等を使用して、汎用の携帯電話機（ＧＰＳ「全地球測位システム」を活用した）と相互通信することにより、相互の情報目的が一致して情報等確認でき、液晶表示画面上で情報等確認できるリアルダイレクトレコーダーである。
【発明の詳細な説明】
【０００１】
【発明の属する技術分野】
本発明は、汎用の携帯電話機（ＧＰＳ「全地球測位システム」を活用した）を利用して、自己の情報や行き先情報を元に地図ソフト上により、目的達成を助ける技術的手段としてのリアルダイレクトレコーダーに関するものである。
【０００２】
【従来の技術】
近年、ＩＴ（情報技術）化が進んで、タクシーの迅速な配車と確実な道案内を目的にＩＣ公衆電話カードとカーナビゲーションを融合したサービスが開始され、ＩＣ公衆電話カードが１枚千円である。従って使用する器材により簡略化を何処に求めるのかによる差別化が求められる。そこで、普及が著しい汎用の携帯電話機（ＧＰＳ「全地球測位システム」を活用した）を利用して、自己の情報や行き先情報を元に地図ソフト上により目的地までの道案内地図を基に使用者を送迎でき、携帯電話機接続モデム内蔵カーナビゲーションの商用サービス機能（Ｉモード）等を活用すれば定額料金で済む等、何らかの技術的補助手段が求められていた。しかし、従来はこのような目的達成を助ける有効な技術的手段が準備されていなかった。
【０００３】
【発明が解決しようとする課題】
本発明の課題は、使用する器材により簡略化を促進して定額料金で済むような対策を助ける技術的手段を提供することである。
【０００４】
【課題が解決しようとする手段】
上記の課題は、汎用の携帯電話機（ＧＰＳ「全地球測位システム」を活用した）と情報解析機（使用者の自己情報を登録した記憶媒体「チップ等」が目的により解析できる）と接続して、携帯電話機を通じて第三者が所持する汎用のパソコン電話（パスワード・ＩＤ番号等による通信手段）・ＩＰ電話（電話番号・ＩＰアドレス等による通信手段）・携帯電話機接続モデム内蔵カーナビゲーション・携帯用情報端末機（ＰＤＡ等）・携帯電話機・ＰＨＳ等と相互通信すると、液晶表示画面上で情報を受信し、電子地図表示装置上に表示できるリアルダイレクトレコーダーにより達成することができる。
【０００５】
情報解析機（使用者の自己情報を登録した記憶媒体「チップ等」が目的により解析できる）を接続した携帯電話機（ＧＰＳ「全地球測位システム」を活用した）を通じて第三者が所持する汎用のパソコン電話（パスワード・ＩＤ番号等による通信手段）・ＩＰ電話（電話番号・ＩＰアドレス等による通信手段）・携帯電話機接続モデム内蔵カーナビゲーション・携帯用情報端末機（ＰＤＡ等）・携帯電話機・ＰＨＳ等と相互通信すると、液晶表示画面上で情報を受信し、電子地図表示装置上に使用者の自己情報等と地図情報の位置等を表示できるようした。
【０００６】
上記の送信動作は、呼び出しに応答する場合に商用サービス機能（Ｉモード）等を活用すれば定額料金で済む等、当該動作が自動的に行われることが望ましい。
【０００７】
情報解析機（使用者の自己情報を登録した記憶媒体「チップ等」が目的により解析できる）を接続した第三者が所持する汎用のパソコン電話（パスワード・ＩＤ番号等による通信手段）・ＩＰ電話（電話番号・ＩＰアドレス等による通信手段）・携帯電話機接続モデム内蔵カーナビゲーション・携帯用情報端末機（ＰＤＡ等）・携帯電話機・ＰＨＳ等に、携帯電話機（ＧＰＳ「全地球測位システム」を活用した）を接続して、商用機能を利用することにより使用者の登録情報を元に自動的に正確な送信動作を行うことが好ましい。
【０００８】
【実施例】
以下に、本発明のリアルダイレクトレコーダーの一実施例を挙げる。図１はリアルダイレクトレコーダーの全体構成を示す概念図である。従って、使用者が常時携帯する携帯電話機（ＧＰＳ「全地球測位システム」を活用した）の商用機能と情報解析機（使用者の自己情報を登録した記憶媒体「チップ等」が目的により解析できる）を接続した第三者が所持する汎用のパソコン電話（パスワード・ＩＤ番号等による通信手段）・ＩＰ電話（電話番号・ＩＰアドレス等による通信手段）・携帯電話機接続モデム内蔵カーナビゲーション・携帯用情報端末機（ＰＤＡ等）・携帯電話機・ＰＨＳ等からなる。
【０００９】
使用者が常時携帯する携帯電話機（ＧＰＳ「全地球測位システム」を活用した）がＧＰＳ衛星からの信号を受信して自己の位置情報を取得すると、接続された情報解析機（使用者の自己情報を登録した記憶媒体「チップ等」が目的により解析できる）が第三者が所持する汎用のパソコン電話（パスワード・ＩＤ番号等による通信手段）・ＩＰ電話（電話番号・ＩＰアドレス等による通信手段）・携帯電話機接続モデム内蔵カーナビゲーション・携帯用情報端末機（ＰＤＡ等）・携帯電話機・ＰＨＳ等からの呼出信号に応答して、又は一定時間毎に、その位置情報を携帯電話機（ＧＰＳ「全地球測位システム」を活用した）を通じて自動的に送信する。
【００１０】
使用者が常時携帯する携帯電話機（ＧＰＳ「全地球測位システム」を活用した）の商用機能と情報解析機（使用者の自己情報を登録した記憶媒体「チップ等」が目的により解析できる）を接続した第三者が所持する汎用のパソコン電話（パスワード・ＩＤ番号等による通信手段）・ＩＰ電話（電話番号・ＩＰアドレス等による通信手段）・携帯電話機接続モデム内蔵カーナビゲーション・携帯用情報端末機（ＰＤＡ等）・携帯電話機・ＰＨＳ等と相互通信することにより、相互の情報目的が一致すると液晶表示画面上で情報等確認でき、地図ソフト上により目的地までの道案内地図と音声による道案内等を基に使用者を送迎できる。
【００１１】
第三者が所持する汎用のパソコン電話（パスワード・ＩＤ番号等による通信手段）・ＩＰ電話（電話番号・ＩＰアドレス等による通信手段）・携帯電話機接続モデム内蔵カーナビゲーション・携帯用情報端末機（ＰＤＡ等）・携帯電話機・ＰＨＳ等は主として、電子地図表示装置及び情報解析機（使用者の自己情報を登録した記憶媒体「チップ等」が目的により解析できる）からなり、電話回線を通じて携帯電話機（ＧＰＳ「全地球測位システム」を活用した）の位置情報を受信してこれを表示装置上の平面位置に変換し、電子地図上に表示する。
【００１２】
【発明の効果】
本発明の情報解析機（使用者の自己情報を登録した記憶媒体「チップ等」が目的により解析できる）を使用者が常時携帯する携帯電話機（ＧＰＳ「全地球測位システム」を活用した）と接続し、使用者が常時携帯する携帯電話機（ＧＰＳ「全地球測位システム」を活用した）の商用機能を利用し、第三者が所持する汎用のパソコン電話（パスワード・ＩＤ）番号等による通信手段）・ＩＰ電話（電話番号・ＩＰアドレス等による通信手段）・携帯電話機接続モデム内蔵カーナビゲーション・携帯用情報端末機（ＰＤＡ等）・携帯電話機・ＰＨＳ等の液晶画面上で、使用者が必要とする情報を提供できる。
【００１３】
【図面の簡単な説明】
【図１】本装置の全体構成を示す概念図である。
【符号の説明】
１．使用者が常時携帯する携帯電話機（ＧＰＳ「全地球測位システム」を活用した）
２．情報解析機（使用者の自己情報を登録した記憶媒体「チップ等」が目的により解析できる）コンパクトサイズ
３．汎用のパソコン電話（パスワード・ＩＤ番号等による通信手段）・ＩＰ電話（電話番号・ＩＰアドレス等による通信手段）
４．携帯電話機接続モデム内蔵カーナビゲーション
５．携帯用情報端末機（ＰＤＡ等）
６　携帯電話機・ＰＨＳ
【図１】
2004023779.tif 000003